(57)【要約】【課題】チューブ部材と留め金と、を備える健康スポーツネックレス等輪状のアクセサリーにおいて、留め金の径の増大を極力抑え、かつ留め金とチューブ部材とを物理的に強固に固定するための留め具を提供することを課題とする。【解決手段】弾性のチューブ部材と、底面にチューブ部材が挿通される挿通孔を備える中空円筒状の留め金と、を連結する留め具であって  前記チューブ部材の端部に挿入される略円柱状の拡張部材と、前記留め金の内径を狭める段差部と、を備え、  前記拡張部材の外径は、前記チューブ部材の内径よりも大きく、かつ前記チューブ部材の外径よりも小さく構成され、  前記段差部により狭められた留め金の内径は、前記拡張部材の外径よりも大きく、かつ前記チューブ部材の外径よりも小さく構成されていることを特徴とする。【選択図】図１
2018149030.tif 000002
【特許請求の範囲】
【請求項１】
弾性のチューブ部材と、底面にチューブ部材が挿通される挿通孔を備える中空円筒状の留め金と、を連結する留め具であって
前記チューブ部材の端部に挿入される略円柱状の拡張部材と、前記留め金の内径を狭める段差部と、を備え、
前記拡張部材の外径は、前記チューブ部材の内径よりも大きく、かつ前記チューブ部材の外径よりも小さく構成され、
前記段差部により狭められた留め金の内径は、前記拡張部材の外径よりも大きく、かつ前記チューブ部材の外径よりも小さく構成されていることを特徴とする留め具。
【請求項２】
前記段差部は、略円環形状の部材を用いて形成されることを特徴とする、請求項１に記載の留め具。
【請求項３】
前記拡張部材は、少なくとも一方の端部に、端面に向かうに伴って漸次縮経するテーパー部を有することを特徴とする、請求項１又は２に記載の留め具。
【請求項４】
前記拡張部材は、少なくとも一方の端面に、直径が、拡張部材の最大外径よりも大きく、かつ前記拡張部材により拡張されたチューブ部材の外径よりも小さい、略円盤形状の頭部を有することを特徴とする、請求項1〜３の何れかに記載の留め具。
【発明の詳細な説明】
【技術分野】
【０００１】
本発明は、健康スポーツネックレス等輪状のアクセサリーの、各部品を連結する留め具に係るものである。
【背景技術】
【０００２】
近年、装着するだけで疲労回復、血行促進、肩凝りや腰痛の改善等の効果が得られ、身体のパフォーマンスの向上に役立つ、健康スポーツネックレス等輪状のアクセサリーを活用するスポーツ選手が増加している。
【０００３】
このようなアクセサリーは、弾性のチューブ部材と、形態を輪状に保持するための留め金と、を備えている。また、チューブ部材には、例えば、直接鉱石粉末及び金属粉末を練り込む、内部に数種類の磁性金属を埋め込んだ樹脂材料を充填する、内部に鉱石粉末をまぶした紐を挿通させる、内部に鉱石粉末を練り込んだゴム材料を挿通させる、液化チタンを含有させる、といった様々な工夫が施されている。このような工夫により、アクセサリーに、磁気を発生させ生体電流を整える、電子を発生させ対象物を活性化する、といった効果を持たせることが可能となり、身体に良好な影響をもたらすと言われている。
【発明の概要】
【発明が解決しようとする課題】
【０００４】
健康スポーツネックレスのチューブ部材には、価格の安さ、高い耐水性、多様な色が出せるデザイン性、人体への影響の少なさ等から、主にシリコンゴムが用いられている。しかし、シリコンゴムは人体への影響が少ない、即ち化学変化を起こしにくい反面、難接着性材料であり、特に金属との接着が困難である。
【０００５】
そこで、多くの健康スポーツネックレスメーカーは、チューブ部材と留め金とを連結するために、接着剤を用いない物理的な固定方法を用いている。
【０００６】
例えば、図６（ａ）において、チューブ部材３には、内部の端部に数ｃｍ程度のスペースを設けて鉱石粉末をまぶした紐Ａが挿通されており、このスペースにチューブ部材３の穴径よりも大きな外径を有する略円柱状のピンＢが差し込まれることで両端が拡張されている。このチューブ部材３が留め金に差し込まれ、チューブ部材３と留め金４は、ピンＢとカシメ金具Ｃとで挟み込まれる形態となり、留め金４から抜けにくい構造となっている。
図６（ｂ）において、内部の全長に渡って、鉱石粉末を練り込んだゴム材料Ｄが挿通されており、端部には針金Ｅが強固に巻き付けられたチューブ部材３が、留め金４に差し込まれている。こうすることで、チューブ部材３を引張った際、針金Ｅが留め金４に引っ掛かり、留め金４から抜けにくい構造となっている。
【０００７】
しかしながら、これらの固定方法では、チューブ部材３を強く引張ると、チューブ部材３が変形し、留め金４から抜けてしまう。
【０００８】
また、図６（ａ）の固定方法においては、チューブ部材３の端部を拡張していること、略円環形状のカシメ金具Ｃを用いていることから、留め金４の内径が増大する。図６（ｂ）の固定方法においても、チューブ部材３に巻き付ける針金の径が細いと、チューブ部材３が切断されてしまうため、径の太い針金を用いており、これにより留め金４の内径が増大する。
よって、これらの固定方法により製造された健康スポーツネックレスは、着け心地の点から、留め金が首の前方に来るような装着状態となる。即ち、留め金がペンダントトップの役割も担うような装着状態となっており、留め金が首の後方に、留め金とは別で独自にデザインされたペンダントトップが首の前方に来る、というような通常のネックレスと同様の装着状態となる健康スポーツネックレスの製造が困難となる。
【０００９】
本発明は上記のような実状に鑑みてなされたものであり、チューブ部材と留め金と、を備える健康スポーツネックレス等輪状のアクセサリーにおいて、留め金の径の増大を極力抑え、かつ留め金とチューブ部材とを物理的に強固に固定するための留め具を提供することを課題とする。
【課題を解決するための手段】
【００１０】
上記課題を解決するために、本発明は、
弾性のチューブ部材と、底面にチューブ部材が挿通される挿通孔を備える中空円筒状の留め金と、を連結する留め具であって
前記チューブ部材の端部に挿入される略円柱状の拡張部材と、前記留め金の内径を狭める段差部と、を備え、
前記拡張部材の外径は、前記チューブ部材の内径よりも大きく、かつ前記チューブ部材の外径よりも小さく構成され、
前記段差部により狭められた留め金の内径は、前記拡張部材の外径よりも大きく、かつ前記チューブ部材の外径よりも小さく構成されていることを特徴とする。
【００１１】
本発明によれば、段差部を備えた留め金の挿通孔に、チューブ部材の端部を挿通し、この端部に拡張部材を押し入れることにより、留め金とチューブ部材とを強固に固定することができる。即ち、このような構成でチューブ部材を引張った際、段差部と、挿入された拡張部材により径が拡張されたチューブ部材の端部とが引っ掛かり、チューブ部材の脱離を防止することが可能となる。
また、留め金の内径を、拡張部材により拡張されたチューブ部材の端部の外径と略同一となるように設計することにより、留め金の内径の増大を極力抑えることが可能となる。
【００１２】
本発明の好ましい形態では、前記段差部は、略円環形状の部材を用いて形成されることを特徴とする。
このような構成とすることで、既存の様々な留め金に対して、後付けで段差部を形成することが可能となる。
【００１３】
本発明の好ましい形態では、前記拡張部材は、少なくとも一方の端部に、端面に向かうに伴って漸次縮経するテーパー部を有することを特徴とする。
このような構成とすることで、拡張部材のチューブ部材への挿入が容易になる。また、拡張部材を、段差部とチューブ部材とが当接している箇所まで押し込むことにより、拡張部材と段差部とでチューブ部材を挟み込む形態となり、留め金とチューブ部材とを、より一層強固に固定することが可能となる。
【００１４】
本発明の好ましい形態では、前記拡張部材は、少なくとも一方の端面に、直径が、拡張部材の最大外径よりも大きく、かつ前記拡張部材により拡張されたチューブ部材の外径よりも小さい、略円盤形状の頭部を有することを特徴とする。
このような構成とすることで、拡張部材を必要以上にチューブ部材へ押し入れてしまうことを防止できる。また、拡張部材のチューブ部材からの取り外しが容易になる。
【発明の効果】
【００１５】
本発明によれば、チューブ部材と留め金と、を備える健康スポーツネックレス等輪状のアクセサリーにおいて、留め金の径の増大を極力抑え、かつ留め金とチューブ部材とを物理的に強固に固定するための留め具を提供することができる。
【図面の簡単な説明】
【００１６】
【図１】本発明の実施形態に係る留め具を示すもので、（ａ）は拡張部材の斜視図、（ｂ）はワッシャーの斜視図である。
【図２】拡張部材、ワッシャー、チューブ部材の各径の大きさを比較した断面図である。
【図３】本発明の実施形態に係る留め具の取り付け手順を示す断面図である。
【図４】本発明の実施形態に係る留め具を用いた健康スポーツネックレスを示すもので、（ａ）は全体の概略図、（ｂ）は部分拡大断面図である。
【図５】本発明の実施形態に係る留め具を用いた健康スポーツネックレスの使用状態を示すもので、（ａ）は体の前方から見た際の斜視図、（ｂ）は体の後方から見た際の斜視図である。
【図６】従来の健康スポーツネックレスのチューブ部材と留め金との連結部を示す断面図である。
【発明を実施するための形態】
【００１７】
以下、図面を用いて、本発明の実施形態に係る留め具について説明する。なお、以下に示す実施形態は本発明の一例であり、本発明を以下の実施形態に限定するものではない。
【００１８】
本発明の実施形態に係る留め具は拡張部材１とワッシャー２を備えている。
図１（ａ）において、拡張部材１は、中間に円柱部１ａ、一端部に、端面に向かうに伴って漸次縮経するテーパー部１ｂ、他端部に円柱部１ａの直径よりも大きい直径を有する略円盤形状の頭部１ｃを備えている。（ｂ）において、ワッシャー２は略円環形状であり、内周縁部には面取り加工が施されている。
拡張部材１及びワッシャー２には、例えば、アルミや樹脂、ゴムといった素材が好適に用いられる。
【００１９】
図２において、拡張部材１及びワッシャー２と、チューブ部材３との径の大きさを比較すると、拡張部材１の外径Ｄｐは、チューブ部材３の内径ｄｔよりも大きく、かつ外径Ｄｔよりも小さく構成されている。また、ワッシャー２の内径ｄｗは、拡張部材１の外径Ｄｐよりも大きく、かつチューブ部材３の外径Ｄｔよりも小さく構成されている。
チューブ部材３には、直接鉱石粉末及び金属粉末３ａが練り込まれているが、代わりに内部に数種類の磁性金属を埋め込んだ樹脂材料を充填する、内部に鉱石粉末をまぶした紐を挿通させる、内部に鉱石粉末を練り込んだゴム材料を挿通させる、液化チタンを含有させる等、従来の健康スポーツネックレスのチューブ部材に施されている様々な工夫を採用することもできる。
また、チューブ部材３の素材としてはシリコンゴムが好適に用いられるが、フッ素ゴムやクロロプレンゴム等の弾性材料を用いても良い。
【００２０】
図３において、（ａ）まず、留め金４の内周にワッシャー２を当接させる。これにより、拡張部材１により拡張されたチューブ部材３の端部が引っ掛かる、段差部２ａが形成される。段差部２ａを形成するためには、必ずしもワッシャー２を用いる必要はなく、挿通孔４ａの孔径を、チューブ部材３の外径よりも小さくしておくことで、挿通孔４ａそのものを段差部２ａとして形成しても良い。（ｂ）次に、留め金４の挿通孔４ａにチューブ部材３を挿通させる。（ｃ）次に、チューブ部材３の端部に拡張部材１を押し入れる。（ｄ）次に、チューブ部材３を引張ることで、拡張部材１のテーパー部１ｂとワッシャー２とで、チューブ部材３を挟み込む。
【００２１】
図４の（ａ）において、チューブ部材３は、両端部に留め具を用いて留め金４が取り付けられ、輪状となっており、留め金の対向する位置にペンダントトップ５が取り付けられている。（ｂ）の断面図において、各留め金４は磁石６を用いて連結されているが、連結手段はこれに限定されるものではなく、例えば、各留め金の端部にフック部材を取り付け、このフック部材同士を引っ掛けることにより連結しても良い。
【００２２】
図５は、本発明の実施形態に係る留め具を用いた健康スポーツネックレスの使用状態を示す図である。この他にも、本発明の実施形態に係る留め具は、ブレスレットやバッグアクセサリー等様々な輪状の服飾品に対して使用することも可能である。
【００２３】
本実施形態のように、段差部２ａが形成された留め金４の挿通孔４ａに、チューブ部材３の端部を挿通し、この端部に拡張部材１を押し入れることにより、留め金４とチューブ部材３とを強固に固定することができる。
また、留め金４の内径を、拡張部材１により拡張されたチューブ部材３の端部の外径と略同一となるように設計することにより、留め金４の内径の増大を極力抑えることが可能となる。
【００２４】
また、段差部２ａの形成にワッシャー２を用いることで、既存の様々な留め金に対して、後付けで段差部２ａを形成することが可能となる。
【００２５】
また、拡張部材１の端部に、端面に向かうに伴って漸次縮経するテーパー部１ｂを有することで、拡張部材１のチューブ部材３への挿入が容易になる。また、拡張部材１を、段差部２ａとチューブ部材３とが当接している箇所まで押し込むことにより、拡張部材１と段差部２ａとでチューブ部材３を挟み込む形態となり、留め金４とチューブ部材３とを、より一層強固に固定することが可能となる。
【００２６】
また、拡張部材１の端面に、直径が、拡張部材１の最大外径よりも大きく、かつ拡張部材１により拡張されたチューブ部材３の外径よりも小さい、略円盤形状の頭部１ｃを有することで、拡張部材１を必要以上にチューブ部材３へ押し入れてしまうことを防止できる。また、拡張部材１のチューブ部材３からの取り外しが容易になる。
【００２７】
なお、前記実施形態において示した各構成部材の諸形状や寸法等は一例であって、設計要求等に基づき種々変更可能である。
【符号の説明】
【００２８】
１    拡張部材
１ａ  円柱部
１ｂ  テーパー部
１ｃ  頭部
２    ワッシャー
２ａ  段差部
３    チューブ部材
３ａ  鉱石粉末及び金属粉末
４    留め金
５    ペンダントトップ
６    磁石
Ａ    紐
Ｂ    ピン
Ｃ    カシメ金具
Ｄ    ゴム材料
Ｅ    針金
【図１】
2018149030.tif 000003
【図２】
2018149030.tif 000004
【図３】
2018149030.tif 000005
【図４】
2018149030.tif 000006
【図５】
2018149030.tif 000007
【図６】
2018149030.tif 000008